(57)【要約】【目的】別の受信装置で内容を容易に確認できるとともに、その内容を別受信装置の視聴情報に反映させることができるデジタル放送受信装置の提供。【構成】記憶媒体を内蔵し、前記記憶媒体に視聴者の視聴情報を記録する視聴情報記憶手段を有するデジタル放送受信装置において、前記視聴情報記憶手段に記憶された情報を読み出す読み出し手段と、前記読み出し手段によって読み出された前記視聴情報記憶手段に記憶された視聴情報を構造化文書に変換する変換手段と、前記変換手段によって変換された前記視聴情報の構造化文書を前記記憶媒体とは異なる記憶媒体に移動する情報移動手段を設ける。【選択図】        図１
2004229043.tif 000002
【特許請求の範囲】
【請求項１】
記憶媒体を内蔵し、前記記憶媒体に視聴者の視聴情報を記録する視聴情報記憶手段を有するデジタル放送受信装置において、
前記視聴情報記憶手段に記憶された情報を読み出す読み出し手段と、前記読み出し手段によって読み出された前記視聴情報記憶手段に記憶された視聴情報を構造化文書に変換する変換手段と、前記変換手段によって変換された前記視聴情報の構造化文書を前記記憶媒体とは異なる記憶媒体に移動する情報移動手段を有することを特徴とするデジタル放送受信装置。
【請求項２】
前記情報移動手段は、可搬記憶媒体へ情報を移動することを特徴とする請求項１記載のデジタル放送受信装置。
【請求項３】
前記情報移動手段は、ネットワークで接続された外部記憶媒体へ情報を移動することを特徴とする請求項１記載のデジタル放送受信装置。
【請求項４】
前記変換手段は、前記視聴情報をＨＴＭＬに変換することを特徴とする請求項１記載のデジタル放送受信装置。
【請求項５】
前記変換手段は、前記視聴情報をＢＭＬに変換することを特徴とする請求項１記載のデジタル放送受信装置。
【請求項６】
前記変換手段は、前記視聴情報をＸＭＬに変換することを特徴とする請求項１記載のデジタル放送受信装置。
【発明の詳細な説明】
【０００１】
【発明の属する技術分野】
本発明は、デジタル放送受信装置に関し、特に視聴予約情報や録画予約情報、嗜好情報等の視聴情報を有するデジタル放送受信装置において、それら視聴情報を構造化文書形式に変換することができるデジタル放送受信装置に関する。
【０００２】
【従来の技術】
従来、デジタル放送を受信するデジタルテレビやセットトップボックス（以下、ＳＴＢ）では、デジタル放送で提供される多チャンネル・多コンテンツを視聴者が効率良く視聴できるようにするために、受信装置内の記憶媒体に視聴者の視聴情報を保存する技術が数多く提案されている。例えば、視聴者の視聴する予定の番組を記録し、番組放送時間になるとその旨を視聴者に通知する視聴予約情報、視聴者が受信装置内の記憶媒体又は外部記憶装置に録画を予約する録画予約情報、視聴者の嗜好や周期視聴している番組を解析するための視聴履歴情報等が提案されている。
【０００３】
【発明が解決しようとする課題】
ところで、従来の技術では、これらの情報はデジタルテレビやＳＴＢ内の記憶媒体に記録される。このため、現状では、受信装置内の記憶媒体に記録されている視聴情報を別の受信装置に移動、複製したい場合であっても、受信装置間で視聴情報を移動させることができない。
【０００４】
受信装置の買い替え時には古い受信装置内の視聴予約・録画予約情報を新しい受信装置にコピーできれば、再度入力する必要がなく利便性は高い。視聴履歴から視聴者の嗜好を分析するような受信装置であれば、視聴履歴をコピーすることで買い替え直後から視聴者の嗜好を新しい受信装置に反映させることもできる。
【０００５】
又、普段の視聴においても、居間の受信装置の視聴予約や録画予約等の情報を別の部屋の受信装置から確認することが可能になり、情報をコピーできれば再入力の必要がなく、便利である。更に、別の受信装置やリムーバブルメディア等の記録媒体に受信装置内の視聴情報をコピーしておけば、故障等による突然のデータクラッシュにも対応できる。
【０００６】
このように受信装置内の視聴情報を別の受信装置やリムーバブルメディアにコピーすることによるメリットは大きいが、現在受信装置内に保存される視聴情報は受信装置によって様々で、記憶の形式も異なるため、記憶されている情報のビット列をそのままコピーしても別の受信装置では内容を理解することができない。
【０００７】
本発明は上記問題に鑑みてなされたもので、その目的とする処は、メモリやハードディスクに記憶されている視聴予約・録画予約・視聴履歴等の視聴情報をＨＴＭＬ、ＢＭＬ等の構造化文書形式のファイル変換することで、別の受信装置でその内容を容易に確認でき、又、その内容を別受信装置の視聴情報に反映させることができるデジタル放送受信装置を提供することにある。
【０００８】
【課題を解決するための手段】
上記目的を達成するため、本発明は、記憶媒体を内蔵し、前記記憶媒体に視聴者の視聴情報を記録する視聴情報記憶手段を有するデジタル放送受信装置において、前記視聴情報記憶手段に記憶された情報を読み出す読み出し手段と、前記読み出し手段によって読み出された前記視聴情報記憶手段に記憶された視聴情報を構造化文書に変換する変換手段と、前記変換手段によって変換された前記視聴情報の構造化文書を前記記憶媒体とは異なる記憶媒体に移動する情報移動手段を有することを特徴とする。
【０００９】
【発明の実施の形態】
以下に本発明の実施の形態を添付図面に基づいて説明する。
【００１０】
＜実施の形態１＞
図１は本発明に係るデジタル放送受信装置の構成を示すブロック図であり、同図において、１０１は地上波放送、ＢＳ放送、ＣＳ放送等を受信するアンテナ、１０２はチューナ、１０３はＴｒａｎｓｐｏｒｔ  Ｓｔｒｅａｍ（以下、ＴＳ）のデマルチプレクサ、１０４は音声信号をデコードするオーディオデコーダ、１０５は映像信号をデコードするビデオデコーダ、１０６はＢＭＬ形式で放送されているデータ放送をデコードするデータ放送デコーダ、１０７は電子番組表（Ｅｌｅｃｔｒｉｃ  Ｐｒｏｇｒａｍ  Ｇｕｉｄｅ、以下単にＥＰＧと表記）をデコードするＥＰＧデコーダ、１０８はデコードの終了したデジタル音声をアナログ音声に変換するＤ／Ａ変換器である。
【００１１】
又、１０９はデコードの終了したビデオ信号やデータ放送の映像信号の出力を制御する表示制御部、１１０はリモコン、操作パネル等視聴者の入力を受け付ける入力部、１１１はシステム全体を制御するシステム制御部、１１２は視聴予約や録画予約等、受信装置に記憶される情報を管理する記憶情報制御部、１１３は視聴予約や録画予約といった個別の視聴情報を保存する視聴情報記憶メモリ、１１４はＤＶＤ−ＲＡＭドライブやフラッシュメモリドライブ等の可搬記憶媒体のドライブ、１１５は音声出力装置、１１６は表示装置である。
【００１２】
本実施の形態では、デジタル放送受信装置に記憶される視聴情報を視聴予約・録画予約・視聴履歴の３つとし、それら視聴情報をＤＶＤ−ＲＡＭのような可搬記憶媒体に出力する。又、放送は社団法人電波産業会（Ａｓｓｏｃｉａｔｉｏｎｏｆ  Ｒａｄｉｏ  Ｉｎｄｕｓｔｒｉｅｓ  ａｎｄ  Ｂｕｓｉｎｅｓｓｅｓ、以下、ＡＲＩＢ）のデジタル放送規格に基づくものとする。
【００１３】
先ず始めに、図１のデジタル放送受信装置における通常視聴の場合の動作を説明する。
【００１４】
先ず、視聴者は、入力部１１０を操作してデジタル放送波の受信開始をシステムに指示する。システム制御部１１１は、入力部１１０からの入力を解析し、チューナ１０２に適当なチャネルの受信を指示する。チューナ１０２は、アンテナ１０１より受信された信号の中から適当なチャンネルが含まれるＴＳを検出し、デマルチプレクサ１０３に入力する。
【００１５】
又、システム制御部１１１は、視聴者が入力部１１０を操作してデータ放送受信の指示を行った場合やＥＰＧの受信を支持した場合は、データ放送デコーダ１０６或はＥＰＧデコーダ１０７にその旨を通知すると共に表示制御部１０９に表示すべき内容を通知する。通常はビデオデコーダ１０５の出力をそのまま表示するように指示する。デマルチプレクサ１０３は、ＴＳ信号をデマルチプレックスし、適当な番組のオーディオ信号をオーディオデコーダ１０４へ、適当な番組のビデオ信号をビデオデコーダ１０５へ、番組に付随するデータ放送のデータをデータ放送デコーダ１０６へ、ＥＰＧ構成に必要な情報をＥＰＧデコーダ１０７へそれぞれ入力する。
【００１６】
オーディオデコーダ１０４は、音声信号をデコードしてＤ／Ａ変換器１０８でアナログ信号に変換した後、音声出力装置１１５から音声を出力する。ビデオデコーダ１０５は、映像信号をデコードし、表示制御部１０９に出力する。データ放送デコーダ１０６は、データ放送に必要なデータをメモリに蓄えており、視聴者が入力部１１１を操作しデータ放送表示を指示した場合、その旨をシステム制御部１１１から受け取ってデータ放送をデコードし、表示制御部１０９に出力する。
【００１７】
ＥＰＧデコーダ１０９は、ＥＰＧ表示に必要なデータをメモリに蓄え、視聴者が入力部１１１を操作しＥＰＧデータの表示を指示した場合、その旨をシステム制御部１１２から受け取りＥＰＧデータをデコードし、ＥＰＧデータを表示制御部１０９に出力する。表示制御部１０９は、システム制御部１１１から現在出力すべき映像を受け取り、ビデオデコーダ１０５、データ放送デコーダ１０６、ＥＰＧデコーダ１０７の何れかの出力若しくは複数の出力を重畳して表示装置１１６に出力する。
【００１８】
次に、視聴者が視聴予約や録画予約といった視聴情報を受信装置内の記録媒体に記録する際の本実施の形態におけるデジタル放送受信装置の動作について説明する。
【００１９】
通常、受信装置内の記録媒体に視聴予約や録画予約を記録するデジタル放送受信装置では、ＥＰＧを用いて予約処理を行うように構成されており、本実施の形態でも録画予約や視聴予約はＥＰＧから行うものとする。又、ＥＰＧはＴＳに含まれているＳＩ（Ｓｅｒｖｉｃｅ  Ｉｎｆｏｍａｔｉｏｎ）情報から構成される。
【００２０】
視聴者は、入力部１１０を操作し、システム制御部１１１にＥＰＧ表示を指示する。上述した通りの動作の結果、ＥＰＧデータが表示装置１１６に表示される。視聴者は、その画面の中から所望の番組を選択し、入力部１１０を操作し視聴予約・録画予約を行う。システム制御部１１１は、視聴予約若しくは録画予約が行われると、ＥＰＧデコーダ１０９から当該番組のＳＩテーブルを構成するＳＤＴ（Ｓｅｒｖｉｃｅ  Ｄｅｓｃｒｉｐｔｉｏｎ  Ｔａｂｌｅ）及びＥＩＴ（Ｅｖｅｎｔ  Ｉｎｆｏｒｍａｔｉｏｎ  Ｔａｂｌｅ）から、ｏｒｉｇｉｎａｌ−ｎｅｔｗｅｒｋ−ｉｄ、ｔｒａｎｓｐｏｒｔ−ｓｔｒｅａｍ−ｉｄ、ｓｅｒｖｉｃｅ−ｉｄ（チャンネル情報）、ｓｔａｒｔ−ｔｉｍｅ（開始時刻）、ｄｕｒａｔｉｏｎ（継続時間）、ｅｖｅｎｔ−ｉｄ、ｓｅｒｖｉｃｅ−ｎａｍｅ（番組名）等予め決められた視聴予約、録画予約に必要な情報を受け取り、記憶情報制御部１１２に出力する。
【００２１】
又、通常視聴時にシステム制御部１１１は、常に視聴者の視聴している番組を入力部１１０の操作から認識し、視聴している番組のＳＩ情報を記憶情報制御部１１２に出力するようＥＰＧデコーダ１０９に指示する。視聴履歴の場合は、必要な情報はＳＤＴ及びＥＩＴ内のｓｅｒｖｉｃｅ−ｉｄ（チャンネル情報）、ｓｔａｒｔ−ｔｉｍｅ（開始時刻）、ｓｅｒｖｉｃｅ−ｎａｍｅ（番組名）、ｃｏｎｔｅｎｔ−ｎｉｂｂｌｅ−ｌｅｖｅｌ１（ジャンル１）、ｃｏｎｔｅｎｔ−ｎｉｂｂｌｅ−ｌｅｖｅｌ２（ジャンル２）とする。記憶情報制御部１１２は視聴予約、録画予約、視聴履歴といった記録情報毎に登録情報をまとめ、視聴情報記憶メモリ１１３に記憶する。記憶形態の模式図を図２に示す。
【００２２】
各視聴情報の記録形式は任意である。
【００２３】
記憶されている視聴予約情報や録画予約情報に基づいてシステムは指定時刻に視聴通知や録画を行い、又、視聴履歴に従い視聴者の嗜好を分析する等が考えられるが、記憶した情報の活用については本発明とは直接関係ないので説明を省略する。
【００２４】
入力部１１０は、視聴情報を可搬記憶装置１１４に出力するための機能を有しており、視聴者は、入力部１１０を操作することで視聴情報記憶メモリ１１３に記憶された視聴情報を可搬記憶装置１１４に出力することができる。
【００２５】
視聴者が入力部１１０を操作し視聴情報の可搬記憶装置への出力を指示すると、システム制御部は記憶情報制御部１１２に視聴情報の出力を指示する。記憶情報制御部１１２は、図２のように記録されている各視聴情報を１つ又は複数のＢＭＬの構造化文書に変換し、可搬記録装置１１４に出力する。
【００２６】
可搬記録装置１１４の制御は本発明の本質ではないので省略する。
【００２７】
以下、各視聴情報を可搬記録装置へ出力する際の記録情報制御部１１２の動作について詳しく説明する。
【００２８】
視聴情報記憶メモリ１１３に記憶されている情報は、図２に示す通りであり、記録情報制御部１１２は、この情報をＢＭＬ形式に変換する。視聴情報記憶メモリ１１３には、予め各視聴情報に対応するＢＭＬファイルの雛型と、それぞれの視聴情報をまとめるＢＭＬファイルを保存しておく。雛型は、視聴情報をまとめる図として図３のような表示を行い、各市長情報として図４のような表示を行うもので、実際のファイルとしては図５及び図６のようなものとなる。
【００２９】
本実施の形態では、視聴情報として記録されているものは視聴予約、録画予約、視聴履歴の３つであるため、記録してある視聴情報をまとめて表示する上層のＢＭＬファイル（図５）には３つの要素とそれぞれの視聴情報を表示するための下層のＢＭＬファイル（図６）へのリンクを予め登録することができる。図６は視聴予約用の雛形ファイルの例であり、この他に録画予約用のファイルと視聴履歴用のファイルを用意する。
【００３０】
又、図６は説明のために１行分の情報の記述例を示したもので、実際のファイルは複数行から成る。尚、実際のＢＭＬファイルでは画面上の表示位置や属性に関する情報を示すＣＳＳ情報が必要になるが、本発明の本質とは関係ないので省略する。
【００３１】
記録情報制御部１１２は、視聴情報のＢＭＬ化を指示されると、各視聴情報から情報を切り出し、各視聴情報用の下層のＢＭＬファイルの所定の要素のＴＥＸＴ領域に当て嵌める。下層のＢＭＬファイル（図６）には、情報が当て嵌められるＴＥＸＴ領域は空欄１１７となっており、記憶情報制御部は読み出した情報をこの空欄に当て嵌めれば良い。
【００３２】
ＢＭＬファイルのフォーマット及び各視聴情報を構成する情報は予め決められており、ＢＭＬファイルに当て嵌めていくことは容易である。ＢＭＬファイルの編集は、ＤＯＭ（Ｄｏｃｕｍｅｎｔ  Ｏｂｊｅｃｔ  Ｍｏｄｅｌ）と呼ばれるインタフェースを用いることが一般的である。
【００３３】
尚、本実施の形態の雛形ファイルでは、行数を予め決めておき、情報の数が行数に満たない場合は空欄を表示し、情報の数が行数より多い場合は別ファイルを作成し更に情報を追加していく形式を想定しているが、ＢＭＬファイルの雛型のフォーマットは任意であり、例えば動的に情報の数を取得し行数を決定するような雛形ファイルでも良い。
【００３４】
又、ＢＭＬの雛形ファイルには、第２のデジタル放送受信装置に第１のデジタル放送受信装置の視聴情報をコピーするためのスクリプトを用意しておく。視聴予約・録画予約といったＡＲＩＢの規格でＢＭＬ関数が用意されているものであれば、そのＢＭＬ関数を用いることができる。
【００３５】
スクリプトの例を図６の１１８に示した。スクリプト１１８は、ＢＭＬファイルが図４のような画面を表示した際に、視聴者が視聴予約したい番組にリモコンのフォーカスを合わせて実行ボタンを押すと呼び出され、ボタンが押された場所の情報から番組情報及び開始時刻を得、ＡＲＩＢの規格である視聴予約用のＢＭＬ関数であるＢｒｏｗｅｒ．ｅｐｇＲｅｓｅｒｖｅを呼び出すことで、視聴予約を実行する。このスクリプトを持ったファイルを第２のデジタル放送受信装置で表示し、視聴者がスクリプトを実行すれば視聴予約の情報が第２のデジタル放送受信装置内の視聴情報記録メモリ１１３に記録できる。ＡＲＩＢの規格にある録画予約等は同一の操作で実現できる。
【００３６】
視聴履歴のような情報は、ＡＲＩＢ規格のＢＭＬ関数が用意されていないため、視聴情報を視聴情報記憶メモリに記憶させるための、独自のユーザ定義関数を用意する必要があるが、この場合は第一のデジタル放送受信装置と第２のデジタル放送受信装置で同一のユーザ定義関数を理解できる必要がある。この場合のユーザ定義関数は、第１の受信装置と第２の受信装置で独自のルールを用いて実行すれば良く、視聴履歴の記録フォーマットを理解し保存するという目的を達成できるものであればどんな記述でも構わない。
【００３７】
尚、ボタンを押した際に実行されるユーザ定義関数が理解できないデジタル放送受信装置である場合、そのユーザ定義関数は無視されるようにスクリプトを記述することが望ましい。
【００３８】
このようにして構成された複数のＢＭＬファイルを、システム制御部１１１はバスを介して可搬記録装置１１４に記録する。可搬記憶媒体としては、例えばＤＶＤ−ＲＡＭ等が好ましい。
【００３９】
次に、可搬記憶媒体に記憶されたＢＭＬファイルを第２のデジタル放送受信装置で読み込み、表示する場合の動作を説明する。尚、第２のデジタル放送受信装置においても第１の受信装置と同一の構成を採用するもとし、同一の符号で説明を行う。以下の説明で符号を付した装置の説明を行う場合、特に記述がなければ第２のデジタル放送受信装置の装置の説明である。
【００４０】
視聴者は第２のデジタル放送受信装置の可搬記憶装置１１４に第１のデジタル放送受信装置の視聴情報を記録した可搬記憶媒体を挿入し、入力部１１０を操作して可搬記憶装置１１４からの情報の読み込みを指示する。システム制御部１１１は入力部１１０の入力を受け取り、可搬記憶装置１１４内の可搬記憶媒体から上層のＢＭＬファイルを読み出し、データ放送デコーダ１０６に入力する。データ放送デコーダ１０６は、当然ながらＢＭＬブラウザを有しているので、可搬記憶媒体中のＢＭＬファイルをデコードでき、その結果を表示制御部１０９を通じて表示装置１１６に表示できる。この場合の表示は図３と同一である。又、各視聴情報用ＢＭＬファイルへのリンクが示されているので、入力部１１１の操作により各視聴情報を確認することができる。この場合の表示は図４のようになる。
【００４１】
第２のデジタル放送受信装置で第１のデジタル放送受信装置の視聴情報を確認することは、スクリプト内でＡＲＩＢに規定されたＢＭＬ関数のみを用いているため第２のデジタル放送受信装置が可搬記憶媒体中からＢＭＬファイルを読み出す仕組みさえあれば、受信装置のメーカや製品仕様によらず可能である。視聴者は表示内容を確認し、内容を確認しながら例えば録画予約を入力し直すことになるが、例えばバックアップ的な用途としては充分な効果が期待できる。
【００４２】
次に、第２のデジタル放送受信装置で第１のデジタル放送受信装置の視聴情報を記録した可搬記憶媒体を読み込み、視聴者の操作に従って第２のデジタル放送受信装置の視聴情報をして保存する場合を説明する。
【００４３】
リムーバブルメディアに記録されたＢＭＬファイルには、既に視聴者の操作に従って視聴情報を第２のデジタル放送受信装置にコピーするためのスクリプトが用意されているので、視聴者は上述した手法でＢＭＬファイルの内容を確認した後、リモコン操作等でそのスクリプトを実行すれば第１のデジタル放送受信装置の視聴情報を第２のデジタル放送受信装置にコピーすることができる。
【００４４】
以上説明した実施の形態によれば、第１のデジタル放送受信装置内に保存された録画予約や視聴予約といった視聴情報を、メーカ・仕様によらず第２のデジタル放送受信装置で確認することが可能で、ＡＲＩＢの規格にあるＢＭＬ関数を用いることのできる視聴予約や録画予約であれば、第２のデジタル放送受信装置に視聴情報をコピーすることができる。視聴履歴等のＡＲＩＢの規格にＢＭＬ関数の無い視聴情報の場合、同一のユーザ定義関数が理解できるようにすることで、第２のデジタル放送受信装置内の視聴情報記憶メモリ内に情報をコピーすることが可能となる。
【００４５】
尚、本実施の形態では、構造化文書としてＢＭＬを用いた。これはデジタル放送受信装置は規格上必ずＢＭＬブラウザを有しているため、ＢＭＬで記述することで新たなブラウザを持つ必要がなく、第２のデジタル放送受信装置側に特別な仕様を求めないことが理由である。よって、第１のデジタル放送受信装置と第２のデジタル放送受信装置で共通のブラウザがあるのであれば、構造化文書はＢＭＬに限定する必要はない。
【００４６】
又、本実施の形態では、情報の移動の手段をＤＶＤのような可搬記録媒体としたが、本発明はこれに限定するものではなく、例えばネットワークケーブルで接続された２台のデジタル放送受信装置でＢＭＬファイルを転送しても同一の効果が得られる。
【００４７】
又、本実施の形態では、第１のデジタル放送受信装置内の全ての視聴情報をコピーするが、本発明はこれによらず、例えば録画予約情報のみ等、特定の情報を視聴者の選択でコピーできるように構成しても良い。
【００４８】
更に、本実施の形態ではコピーする視聴情報として録画予約・視聴予約・視聴履歴として説明したが、本発明はこれに限らない。第１のデジタル放送受信装置内に記憶されている、テキスト化できる全ての情報を対象にすることができる。
【００４９】
＜実施の形態２＞
次に、本発明の実施の形態２を図面を用いて説明する。図７は本実施の形態に係るデジタル放送受信装置の構成を示すブロック図である。
【００５０】
尚、本実施の形態であっても基本的なシステム構成は実施の形態１と同一であり、同一の動作を行う装置については同一の符号を付し、説明を省略する。
【００５１】
２０１は視聴予約や録画予約等、受信装置に記憶される情報を管理する記憶情報制御部、２０２は視聴予約や録画予約といった個別の視聴情報を保存する視聴情報記憶メモリである。
【００５２】
本実施の形態で実施の形態１と異なるのは、実施の形態１が第１の受信装置内に記憶された視聴情報を第２の受信装置内にコピーする形態で、構造化文書としてＢＭＬを用いたのに対し、本実施の形態では第１の受信装置内の視聴情報を汎用のパーソナルコンピュータ（以下、単にＰＣ）にコピーする形態とし、構造化言語としてＨＴＭＬを用いる点である。
【００５３】
ＰＣに個人データをコピーすることによる効果は、バックアップ的効果の他にも、視聴者が自由にファイルを操作できることにある。例えば、視聴履歴のデータをＰＣにコピーし、独自の視聴履歴解析ソフトウェアを用いて視聴履歴の解析を行うであるとか、有料番組の閲覧状況情報をＰＣにコピーして家計簿ソフトと連携する等である。
【００５４】
本実施の形態では、視聴情報記憶メモリ２０２に視聴履歴、有料番組閲覧状況の情報が記憶されるものとする。視聴者が入力部１１０を操作しシステム制御部に可搬記憶媒体への視聴情報のコピーを指示すると、システム制御部１１０は記憶情報制御部２０１にその旨を通知する。本実施の形態では、実施の形態１と異なり、視聴者がＰＣへのコピーを希望する情報を選択するように構成されている。そのため、記憶情報制御部２０１はシステム制御部１１１を通じて視聴者に記憶されている視聴情報を提示する。
【００５５】
記憶される視聴情報は予め決められているため、操作用の画面は予めＢＭＬ形式で作成しておけば良い。選択のための操作画面の例を図８に示す。選択画面に従って入力部１１０が操作されると、記憶情報制御部２０１は視聴情報記憶メモリ２０２に記憶されている視聴情報と、同じく視聴情報記憶メモリ２０２に記憶されているＨＴＭＬファイルの雛型を用いて選択された情報のＨＴＭＬ文書を作成し、可搬記憶装置１１４に出力する。ＨＴＭＬファイルの雛型の例を図９に、作成される画面の例を図１０に示す。
【００５６】
実施の形態１では、第２の受信装置側で実行可能なスクリプトを用意したが、本実施の形態ではコピー先にＰＣを想定しているために行わない。又、ＰＣ側がＨＴＭＬブラウザを有していることが前提となるが、現在のインターネット閲覧用ブラウザはＨＴＭＬブラウザであることから、受信装置内の視聴情報をＰＣで閲覧することが可能となる。閲覧後の処理はＰＣ側のソフトウェアで自由に操作できるようになるが、本発明ではＰＣ側のソフトウェアについては言及しないものとする。
【００５７】
尚、本実施の形態では構造化文書としてＨＴＭＬを用いた。これはＰＣ上で表示することを想定したものであるが、本発明はこれに限定するものではない。例えばＸＭＬのような構造化文書を用いても同様の効果が得られる。
【００５８】
又、本実施の形態では情報の移動の手段をＤＶＤのような可搬記録媒体としたが、本発明はこれに限定するものではなく、例えばネットワークケーブルで接続されたデジタル放送受信装置とＰＣの間で構造化文書を転送しても同一の効果が得られる。
【００５９】
又、本実施の形態ではコピーする視聴情報として視聴履歴・有料番組閲覧状況として説明したが、本発明はこれに限らない。第１のデジタル放送受信装置内に記憶されている、テキスト化できる全ての情報を対象にすることができる。
【００６０】
【発明の効果】
以上の説明で明らかなように、本発明によれば、デジタル放送受信装置内のメモリやハードディスクに記憶されている視聴予約・録画予約・視聴履歴等の視聴情報をＨＴＭＬ、ＢＭＬといった構造化文書形式のファイル変換することで、別の受信装置でその内容を容易に確認でき、又、その内容を別受信装置の視聴情報に反映させることができる手段を提供することができる。
【図面の簡単な説明】
【図１】本発明の実施の形態１に係るデジタル放送受信装置の構成を示すブロック図である。
【図２】図１における視聴情報記憶メモリの記憶形式を説明する説明図である。
【図３】図１における記憶情報制御部の作成したＢＭＬの表示形式を説明する説明図である。
【図４】図１における記憶情報制御部の作成したＢＭＬの表示形式を説明する説明図である。
【図５】図１における記憶情報制御部の作成したＢＭＬファイルを説明する説明図である。
【図６】図１における記憶情報制御部の作成したＢＭＬファイルを説明する説明図である。
【図７】本発明の実施の形態２に係るデジタル放送受信装置の構成を示すブロック図である。
【図８】図７における記憶情報制御部の表示する変換方式選択画面を説明する説明図である。
【図９】図７における記憶情報制御部の作成したＨＴＭＬファイルを説明する説明図である。
【図１０】図７における記憶情報制御部の作成したＨＴＭＬの表示形式を説明する説明図である。
【符号の説明】
１０１    受信アンテナ
１０２    チューナ
１０３    デマルチプレクサ
１０４    オーディオデコーダ
１０５    ビデオデコーダ
１０６    データ放送デコーダ
１０７    ＥＰＧデコーダ
１０８    Ｄ／Ａ変換器
１０９    表示制御部
１１０    入力部
１１１    システム制御部
１１２    記憶情報制御部
１１３    視聴情報記憶メモリ
１１４    可搬記憶装置
１１５    音声出力装置
１１６    表示装置
２０１    記憶情報制御部
２０２    視聴情報記憶部
【図１】
2004229043.tif 000003
【図２】
2004229043.tif 000004
【図３】
2004229043.tif 000005
【図４】
2004229043.tif 000006
【図５】
2004229043.tif 000007
【図６】
2004229043.tif 000008
【図７】
2004229043.tif 000009
【図８】
2004229043.tif 000010
【図９】
2004229043.tif 000011
【図１０】
2004229043.tif 000012